(57)【要約】【課題】電装品箱の蓋を、電気配線等の作業中に作業者の視野に入る位置に吊下げて仮置き可能とする。【解決手段】天井設置型の空気調和機１は、送風機および熱交換器を収容するケーシング１００の底部に配設される電装品箱２００を備える。電装品箱２００は、電装品箱本体２１０と蓋２２０とからなる。電装品箱本体２１０は、電装品箱本体２１０に取付けられた電装品の背面側となる側の側板における内壁面下端縁部に設けられた突起部２１３を有し、ケーシング１００の底部に固定され、蓋２２０は、その縁部に突起部２１３と嵌脱可能な係合部２２３を有し、前記電装品を対象とする作業時に突起部２１３に吊下げ可能とされ、配設状態において、電装品箱本体２１０の下方に形成された開口部を覆う。【選択図】図１
2011208859.tif 000002
【特許請求の範囲】
【請求項１】
送風機（１１０）と、
熱交換器（１２０）と
前記送風機（１１０）および前記熱交換器（１２０）を収容するケーシング（１００）と、
前記ケーシング（１００）の底部に配設される電装品箱（２００）と、を備え、
前記電装品箱（２００）は、電装品が収容される電装品箱本体（２１０）と、蓋（２２０）とからなり、
前記電装品箱本体（２１０）は、
配設状態において当該電装品箱本体（２１０）の上部となる天板（２１０ｂ）と、
配設状態において下方となる方向に前記天板の縁部から延設された側板（２１０ｃ１〜２１０ｃ４）と、
前記天板（２１０ｂ）の内壁面であって、前記電装品が取付けられる電装品取付面（２１６）と、
前記電装品取付面（２１６）に取付けられた前記電装品の背面側となる側の前記側板（２１０ｃ１）における内壁面下端縁部に設けられた突起部（２１３）と、
を有し、
配設状態において下方となる位置に、前記側板（２１０ｃ１〜２１０ｃ４）の下端部を縁部とする開口部（２１０ａ）が前記天板（２１０ｂ）と対向して形成され、前記ケーシング（１００）の前記底部に固定され、
前記蓋（２２０）は、
当該蓋（２２０）の縁部に前記突起部（２１３）と嵌脱可能な係合部（２２３）を有し、前記電装品を対象とする作業時に前記突起部（２１３）に吊下げ可能とされ、配設状態において前記開口部（２１０ａ）を覆う天井設置型の空気調和機。
【請求項２】
前記作業対象となる前記電装品は、前記電装品取付面（２１０ｂ）における複数箇所に取付けられ、
前記突起部（２１３）は、前記複数箇所に取付けられた前記電装品の配設位置の間に設けられる請求項１に記載の天井設置型の空気調和機。
【請求項３】
前記電装品取付面（２１６）の両端側に前記電装品として配線端子（３１０、３２０）が取付けられ、
前記突起部（２１３）は、前記配線端子（３１０、３２０）の間に設けられる請求項２に記載の天井設置型の空気調和機。
【請求項４】
前記係合部（２２３）は、孔部（２２３ａ）と、当該孔部（２２３ａ）と前記蓋（２２０）の外縁部とを連通する溝部（２２３ｂ）と、によって形成される請求項１〜３のいずれか１項に記載の天井設置型の空気調和機。
【発明の詳細な説明】
【技術分野】
【０００１】
本発明は、天井設置型の空気調和機に関する。
【背景技術】
【０００２】
空気調和機には、当該空気調和機に対する電源供給や制御等を行うための電装品や、当該電装品に接続される配線用の配線端子等が、電装品箱に収容されて配設されている。天井設置型の空気調和機の場合、前記電装品に対する電気配線等の作業を行う際に、作業者は、脚立に上って高所作業を行う必要がある。この高所作業においては、前記電装品や配線端子等を露出させるために、当該作業者は、電気品箱本体から蓋を外して仮置きする必要がある。
【０００３】
脚立上での高所作業においては、作業姿勢が拘束的になるため、作業姿勢を変更して（屈んで）取り外した前記蓋を当該脚立の天板等に仮置きすることは面倒な動作である。さらに、取り外した前記蓋をこのように仮置きすることは、当該蓋の落下等のおそれがあり安全上好ましくない。しかし、取り外した前記蓋を、脚立を降りて床置きすることは、一層面倒な動作である。
【０００４】
このような不具合を解消すべく、例えば特許文献１に開示されている天吊型空気調和機では、電装品箱本体が空気調和機本体に吊下可能に形成されると共に、電装品箱の蓋が電装品箱本体または空気調和機本体に吊下可能に形成されている。
【先行技術文献】
【特許文献】
【０００５】
【特許文献１】特開平１１−９４２９４号公報
【発明の概要】
【発明が解決しようとする課題】
【０００６】
しかしながら特許文献１の空気調和機においては、前記蓋が吊下げられる位置は、作業中の作業者の視野から外れる位置となる可能性がある。例えば特許文献１の図４には、前記空気調和機本体から取り外した前記電装品箱本体を当該空気調和機本体に吊下げ、電装品箱本体から取り外した前記蓋を、電装品箱本体にさらに吊下げた状態が図示されている。特許文献１の段落００２１に記載のように、作業者が、回路図面の貼付面を表にして当該蓋を吊下げ、当該図面を見ながらメンテナンスをするとしても、当該図４に示される前記蓋の位置では、当該メンテナンス時に当該電装品箱本体内の電装品を当該作業者が注視している状態では、当該蓋が作業者の視線よりも下方に位置するため、当該蓋が当該メンテナンス中の作業者の視野から外れる可能性がある。
【０００７】
また、特許文献１の段落００２０および図６に開示されている他の実施形態、すなわちフックを有する前記蓋を空気調和機本体の下縁部に引っかけて吊下げる実施形態であっても、作業中の前記作業者の視野から外れる位置に、当該作業者が当該蓋を引っかけて吊下げる可能性がある。この場合も、当該蓋が当該メンテナンス中の作業者の視野から外れる。
【０００８】
本発明は、このような従来の問題点を解決するためになされたものであり、前記電装品箱の前記蓋を、電気配線等の作業中に作業者の視野に入る位置に吊下げて仮置き可能とする空気調和機を提供することを目的とする。
【課題を解決するための手段】
【０００９】
本発明の請求項１に係る発明は、送風機（１１０）と、熱交換器（１２０）と  前記送風機（１１０）および前記熱交換器（１２０）を収容するケーシング（１００）と、前記ケーシング（１００）の底部に配設される電装品箱（２００）と、を備え、前記電装品箱（２００）は、電装品が収容される電装品箱本体（２１０）と、蓋（２２０）とからなり、前記電装品箱本体（２１０）は、配設状態において当該電装品箱本体（２１０）の上部となる天板（２１０ｂ）と、配設状態において下方となる方向に前記天板の縁部から延設された側板（２１０ｃ１〜２１０ｃ４）と、前記天板（２１０ｂ）の内壁面であって、前記電装品が取付けられる電装品取付面（２１６）と、前記電装品取付面（２１６）に取付けられた前記電装品の背面側となる側の前記側板（２１０ｃ１）における内壁面下端縁部に設けられた突起部（２１３）と、を有し、配設状態において下方となる位置に、前記側板（２１０ｃ１〜２１０ｃ４）の下端部を縁部とする開口部（２１０ａ）が前記天板（２１０ｂ）と対向して形成され、前記ケーシング（１００）の前記底部に固定され、前記蓋（２２０）は、当該蓋（２２０）の縁部に前記突起部（２１３）と嵌脱可能な係合部（２２３）を有し、前記電装品を対象とする作業時に前記突起部（２１３）に吊下げ可能とされ、配設状態において前記開口部（２１０ａ）を覆う天井設置型の空気調和機である。
【００１０】
請求項１に係る発明において、前記突起部は、前記電装品取付面に取付けられた前記電装品の背面側となる側の前記側板における内壁面下端縁部に設けられている。ここで、前記電装品取付面に取付けられた前記電装品の背面側となる側の前記側板における内壁面下端縁部は、電気配線等の作業を行う作業者が、前記電装品箱本体から前記蓋を取り外した際に、当該作業者の視野に入る部位である。したがって、請求項１に係る発明によれば、前記作業者は、前記作業時に、当該作業者の視野に入る位置に前記蓋を吊下げて仮置きすることが可能となる。
【００１１】
しかも、請求項１に係る発明において、前記蓋を吊下げるための部位は、前記電装品箱本体から前記蓋を取り外した際に前記作業者の視野に入る位置に、突起部という特徴的な形状に形成されている。したがって、請求項１に係る発明によれば、当該作業者は、前記蓋の縁部に設けられた前記係合部が当該突起部と嵌脱可能であることを直感的に把握することができる。
【００１２】
一方、特許文献１に開示されている構造は、前記蓋の吊下げ方法を作業者が直感的に気づき易い構造とは言い難い。例えば特許文献１の図４に図示されている吊下げ方法は、前記蓋の嵌脱に用いる達磨状の係止孔を利用して当該蓋を吊下げるものであるが、当該蓋の嵌脱と吊下げという異なる用途に同一の係止孔を利用することは推考容易なことではなく、しかも、当該蓋を吊下げるためには当該蓋の上下を入れ替える必要があるため、作業者は、当該蓋を取り外した際に、当該図４に示される吊下げ方法を直感的には気づき難い。
【００１３】
また、フックを有する前記蓋を空気調和機本体の下縁部に引っかけて吊下げる特許文献１の他の実施形態に係る吊下げ方法であっても、当該空気調和機本体の当該下縁部は、当該フックを引っかける箇所としての特徴的な形態を備えてはいないので、やはり作業者は、当該蓋を取り外した際に、当該吊下げ方法を直感的には気づき難い。
【００１４】
さらに、請求項１に係る発明によれば、前記作業時に前記作業者の視野から外れる位置に前記蓋が吊下げられる可能性がある特許文献１の空気調和機とは異なり、前記突起部に吊下げられた前記蓋は、前記作業時に前記作業者の視野内に位置することになり、当該作業者が作業中に誤って当該蓋に接触することを防止することが可能となるので、特許文献１の空気調和機よりも、当該作業の安全性を向上させることが可能となる。
【００１５】
さらに、請求項１に係る発明によれば、前記突起部は、前記電装品箱本体に設けられているので、特許文献１の段落００２０および図６に開示されている構成、すなわちフックを有する前記蓋を空気調和機本体の下縁部に引っかけて吊下げる構成とは異なり、当該蓋を吊下げ可能な形状とするために当該ケーシングを新規に設計および製造することなく、当該蓋を吊下げることが可能となる。
【００１６】
本発明の請求項２に係る発明は、前記作業対象となる前記電装品は、前記電装品取付面（２１０ｂ）における複数箇所に取付けられ、前記突起部（２１３）は、前記複数箇所に取付けられた前記電装品の配設位置の間に設けられる請求項１に記載の天井設置型の空気調和機である。
【００１７】
請求項２に係る発明によれば、前記突起部は、前記電装品に対する作業部位を避けた位置となる前記電装品取付面における複数箇所に取付けられた前記電装品の配設位置の間に設けられるので、前記作業者は、前記作業の効率を低下させることなく、前記突起部に前記蓋を吊下げて仮置きすることが可能となる。
【００１８】
本発明の請求項３に係る発明は、前記電装品取付面（２１６）の両端側に前記電装品として配線端子（３１０、３２０）が取付けられ、前記突起部（２１３）は、前記配線端子（３１０、３２０）の間に設けられる請求項２に記載の天井設置型の空気調和機である。
【００１９】
請求項３に係る発明によれば、前記電装品取付面の両端側に前記電装品として配線端子が取付けられ、前記突起部は、当該配線作業の妨げとならない位置である前記配線端子の間に設けられているので、当該配線端子に対する配線作業において、前記作業者は、当該配線作業の効率を低下させることなく、前記蓋を吊下げて仮置きすることが可能となる。
【００２０】
本発明の請求項４に係る発明は、前記係合部（２２３）は、孔部（２２３ａ）と、当該孔部（２２３ａ）と前記蓋（２２０）の外縁部とを連通する溝部（２２３ｂ）と、によって形成される請求項１〜３のいずれか１項に記載の天井設置型の空気調和機である。
【００２１】
請求項４に係る発明によれば、前記作業者が、前記蓋を前記電装品箱本体に吊下げるために、前記突起部と当該蓋の前記係合部とを嵌め合わせる際に、前記溝部を当該突起部に通して当該蓋をスライドさせることができる。そのため、前記作業者が、前記蓋を前記突起部に吊下げる際に、当該蓋を上方に動かしすぎて当該蓋の上端を前記電装品に誤って接触させ、当該電装品を破損する可能性を低減できる。
【発明の効果】
【００２２】
本発明によれば、前記電装品箱の前記蓋を、電気配線等の作業中に作業者の視野に入る位置に吊下げて仮置きすることが可能となる。
【図面の簡単な説明】
【００２３】
【図１】本発明の一実施形態に係る電装品箱を備える天井埋込型の空気調和機において、当該電装品箱の蓋を電装品箱本体から外し、当該蓋を当該電装品箱本体に吊下げた状態を示す斜視図である。
【図２】図１のＩＩ−ＩＩ断面図であり、図１に示す空気調和機の構造を模式的に示す図である。
【図３】電装品箱本体の形状を示す斜視図である。
【図４】蓋の形状を示す斜視図である。
【図５】（Ａ）は、図３のＶ部の拡大図であり、電装品箱本体の蓋掛けフック（突起部）の形状を示す平面図であり、（Ｂ）は、図４のＶ部の拡大図であり、蓋の係合部の形状を示す平面図である。
【発明を実施するための形態】
【００２４】
以下、本発明の実施形態について図面に基づいて詳細に説明する。図１は、本発明の一実施形態に係る天井埋込型の空気調和機１において、電装品箱２００の蓋２２０を電装品箱本体２１０から外し、蓋２２０を電装品箱本体２１０に吊下げた状態を示す斜視図である。図２は、図１のＩＩ―ＩＩ断面図であり、空気調和機１の内部構造を模式的に示す図である。
【００２５】
空気調和機１は、いわゆるラウンドフロー型の空気調和機であり、空気調和機１を構成する送風機１１０や熱交換器１２０等は、ケーシング１００内に収容されている。４つの長辺と、当該４つの長辺の間に位置する４つの短辺とからなる略八角形を呈するケーシング１００の底部には、電装品箱２００が配設されている。空気調和機１は、当該底部の外縁部から上方に向かって延設されたケーシング１００の側部の外形に応じた形状に図略の天井に設けられた開口に嵌め込まれ、当該底部の全体を覆って取付けられる図略の化粧パネルの表側が天井面と一体になるように設置される。
【００２６】
ケーシング１００は、前記底部に、１つの吸入口１０１と、４つの吹出口１０２と、３つの補助吹出口１０３と、を備える。吸入口１０１は、ケーシング１００の底部中央を凹没させて設けられ、下面からの平面視で略正方形を呈する。吹出口１０２は、吸入口１０１の周囲に吸入口１０１を囲んで設けられ、前記底部の４つの長辺の各々に沿う方向に延びる。補助吹出口１０３は、吸入口１０１の周囲に吸入口１０１を囲んで設けられ、図１において右側に位置する熱交換器１２０の両端部が設けられている短辺を除く、前記底部の３つの短辺の各々に沿う方向に延びる。
【００２７】
送風機１１０は、例えばターボファンであり、ケーシング１００の中央上寄りに配置され、室内空気を吸入口１０１から吸込み、熱交換器１２０を通過した調和空気を吹出口１０２および補助吹出口１０３から吹き出す。送風機１１０の吸入側には、室内空気の吸入効率を向上させるために、ベルマウス１３０の小径側の開口部が嵌め込まれている。
【００２８】
熱交換器１２０は、送風機１１０の外周を囲むように曲げられて形成された、例えばクロスフィンチューブ型の熱交換器であり、屋外等に設置された不図示の室外機に冷媒配管を介して接続されている。
【００２９】
電装品箱２００は、ケーシング１００の底部を凹没させて形成された吸入口１０１の垂直面の１つに接し、かつ、ベルマウス１３０の大径側に接する位置に配設されている。電装品箱２００は、細長い直方体を呈する板金製の箱体である電装品箱本体２１０と、細長い長方形の板状を呈する板金製の蓋２２０とからなる。電装品箱本体２１０は、ケーシング１００に固定され、蓋２２０は、配設状態において、電装品箱本体２１０に形成された後述する開口部２１０ａを覆う。
【００３０】
図３は、電装品箱本体２１０の形状を示す斜視図である。電装品箱本体２１０は、配設状態において電装品箱本体２１０の上部となり、細長い略長方形を呈する天板２１０ｂと、配設状態において下方となる方向に天板２１０ｂの４つの縁部から延設された側板２１０ｃ１〜２１０ｃ４と、を備える。
【００３１】
天板２１０ｂの内壁面は、電装品であるプリント基板や接続端子を取付けるための電装品取付面２１６とされている。電装品取付面２１６の両端側には、前記接続端子として、一端側に強電用配線接続端子３１０と、他端側に弱電用配線接続端子３２０と、が取付けられている（図１参照）。さらに、電装品箱２００の配設状態において下方となる位置に、側板２１０ｃ１〜２１０ｃ４の下端部を縁部とする開口部２１０ａが天板２１０ｂと対向して形成されている。
【００３２】
天板２１０ｂの長辺側の縁部から延設される２枚の側板のうち、電装品取付面２１６に取付けられた前記電装品の背面側となる側の側板２１０ｃ１の内壁面下端縁部には、折り返し縁部２１１と、蓋掛けフック２１３（突起部）と、が板金加工により形成されている。
【００３３】
折り返し縁部２１１は、側板２１０ｃ１の縁部が蓋掛けフック２１３部分を残して折り返し加工されて形成される。詳しくは、側板２１０ｃ１の縁部を、側板２１０ｃ１に対して電装品箱本体２１０の内側に略直交させて折り曲げた後、折り曲げた部分の先端部分を電装品箱本体２１０の外側に略１８０度折り返して折り返し縁部２１１は形成される。
【００３４】
蓋掛けフック２１３（突起部）は、折り返し縁部２１１が設けられている側板２１０ｃ１の内壁面下端縁部において、強電用配線接続端子３１０と弱電用配線接続端子３２０
との間に設けられる。本実施形態では、側板２１０ｃ１の内壁面下端縁部の略中央からわずかに強電用配線接続端子３１０に寄った位置に、蓋掛けフック２１３が形成されている。
【００３５】
天板２１０ｂの長辺側の縁部から延設される２枚の側板のうち、側板２１０ｃ１と対向する側の側板２１０ｃ３の下端縁部には、本体側ねじ止めタブ２１２が板金加工により形成されている。本体側ねじ止めタブ２１２は、側板２１０ｃ３の下端縁部の２箇所を、側板２１０ｃ３の外壁面の側に曲げ加工することにより形成されている。平面視で略長方形を呈する本体側ねじ止めタブ２１２の略中央部には、ねじ穴２１２ａが設けられている。
【００３６】
天板２１０ｂの短辺側の縁部から延設される２枚の側板２１０ｃ２と側板２１０ｃ４とには、強電用配線引出部２１４と、弱電用配線引出部２１５と、が板金加工により形成されている。
【００３７】
強電用配線引出部２１４は、電装品取付面２１６の一端側に取付けられた強電用配線接続端子３１０に近い側の側板２１０ｃ２を切り欠いて形成されている。弱電用配線引出部２１５は、電装品取付面２１６の他端側に取付けられた弱電用配線接続端子３２０に近い側の側板２１０ｃ４を切り欠いて形成されている。強電用の配線は、強電用配線引出部２１４を通して強電用配線接続端子３１０に接続され、弱電用の配線は、弱電用配線引出部２１５を通して弱電用配線接続端子３２０に接続される。強電用配線接続端子３１０と弱電用配線接続端子３２０とを離して位置させることで、強電部分と弱電部分との互いのノイズ干渉を抑制している。
【００３８】
図４は、蓋２２０の形状を示す斜視図である。蓋２２０には、クリップ部２２１と、蓋側ねじ止めタブ２２２と、係合部２２３と、が板金加工により形成されている。
【００３９】
クリップ部２２１は、細長い長方形を呈する蓋２２０の長辺をなす一方の縁部の両端近傍を、それぞれ所定の長さで折り返し加工することで形成されている。クリップ部２２１は、蓋２２０を電装品箱本体２１０に嵌める際に、電装品箱本体２１０の折り返し縁部２１１とスライド可能に嵌合する。
【００４０】
蓋側ねじ止めタブ２２２は、蓋２２０を電装品箱本体２１０に取付けた状態で、本体側ねじ止めタブ２１２に対向する位置となる蓋２２０の長辺をなす他方の縁部の両端近傍を、曲げ加工することにより形成されている。蓋側ねじ止めタブ２２２は、本体側ねじ止めタブ２１２と略相似形状となる平面視で略長方形を呈する形状とされ、蓋側ねじ止めタブ２２２の略中央部には、ねじ穴としてだるま穴２２２ａが設けられている。ねじ穴をだるま穴２２２ａとすることで、前記の配線作業等を行う作業者は、蓋側ねじ止めタブ２２２と本体側ねじ止めタブ２１２とを締結しているねじを外すことなく蓋２２０を電装品箱本体２１０から取り外すことが可能となる。
【００４１】
係合部２２３は、蓋側ねじ止めタブ２２２が形成されている側の縁部の一端側を、打ち抜き加工して形成されている。係合部２２３は、電装品箱本体２１０の蓋掛けフック２１３と、嵌脱自在に係合する。
【００４２】
蓋掛けフック２１３および係合部２２３の形状の詳細について図５（Ａ）および図５（Ｂ）に基づいて以下に説明する。図５（Ａ）は、図３のＶ部の拡大図であり、蓋掛けフック２１３の形状を示す平面図である。図５（Ｂ）は、図４のＶ部の拡大図であり、係合部２２３の形状を示す平面図である。
【００４３】
図５（Ａ）に示すように、蓋掛けフック２１３は、側板２１０ｃ１の内壁面下端縁部から突出する頸部２１３ａと、蓋掛けフック２１３の遊端側となり頸部２１３ａよりも幅広に形成されたストッパー部２１３ｂとを備える。図５（Ｂ）に示すように、係合部２２３は、孔部２２３ａと、孔部２２３ａと蓋２２０の外縁部とを連通する溝部２２３ｂと、によって形成される。
【００４４】
孔部２２３ａの幅（蓋２２０を蓋掛けフック２１３に吊下げた状態における水平方向の長さ。図５（Ｂ）において左右方向に相当する）は、ストッパー部２１３ｂの幅（電装品箱本体２１０の配設状態において水平方向の長さ。図５（Ａ）において左右方向に相当する）よりも短く、かつ、頸部２１３ａの幅に対して所定のクリアランスを有する長さとされている。この寸法設定により、ストッパー部２１３ｂを抜け止め部材として機能させ、蓋掛けフック２１３に吊下げられた蓋２２０が落下することを防止している。
【００４５】
溝部２２３ｂは、蓋２２０を蓋掛けフック２１３に吊下げた状態における孔部２２３ａの上縁部を避けた位置に形成される。本実施形態においては、溝部２２３ｂの下方側の縁部は、孔部２２３ａの下縁部と一直線に連続する形状に形成されている。溝部２２３ｂの幅（蓋２２０を蓋掛けフック２１３に吊下げた状態における垂直方向の長さ。図５（Ｂ）において上下方向に相当する）は、孔部２２３ａの高さ（蓋２２０を蓋掛けフック２１３に吊下げた状態における垂直方向の長さ。図５（Ｂ）において上下方向に相当する）よりも小さく、かつ、頸部２１３ａの厚み（電装品箱本体２１０の板金厚み）に対して所定のクリアランスを有する長さとされる。
【００４６】
蓋掛けフック２１３および係合部２２３の各部は、上記のような寸法関係に形成されているので、前記作業者が、蓋２２０を電装品箱本体２１０に吊下げるために、蓋掛けフック２１３と係合部２２３とを嵌め合わせる際に、蓋掛けフック２１３に溝部２２３ｂを通して蓋２２０をスライドさせることができる。
【００４７】
以下に、作業者が空気調和機１に対して配線作業を開始するまでの手順を示しつつ、本実施形態の効果について説明する。空気調和機１は天井埋込型であるため、当該配線作業は脚立を用いた高所作業となる。前記作業者は、電装品箱２００を露出させるために、最初に空気調和機１のケーシング１００底面に取付けられた図略の化粧パネルを外す。続いて前記作業者は、強電用配線接続端子３１０および弱電用配線接続端子３２０を露出させるため、電装品箱本体２１０から蓋２２０を外す。
【００４８】
電装品箱本体２１０から蓋２２０を外す手順は以下の通りである。前記作業者は、蓋側ねじ止めタブ２２２と本体側ねじ止めタブ２１２とを締結しているねじを緩め、当該ねじの頭がだるま穴２２２ａの大径部に位置するまで蓋２２０をスライドさせて（このとき蓋側ねじ止めタブ２２２と対向する蓋２２０の縁部においては、クリップ部２２１が折り返し縁部２１１嵌合しつつスライドする）、蓋側ねじ止めタブ２２２と本体側ねじ止めタブ２１２とを締結を解く。続いて当該作業者は、クリップ部２２１を折り返し縁部２１１から外す。これにより、電装品箱本体２１０から蓋２２０が外れる。
【００４９】
蓋掛けフック２１３は、折り返し縁部２１１が設けられている側板２１０ｃ１の内壁面下端縁部に設けられ、側板２１０ｃ１は、電装品取付面２１６に取付けられた前記電装品の背面側となる。したがって、前記作業者がクリップ部２２１を折り返し縁部２１１から外す際に、蓋掛けフック２１３は必ず当該作業者の視野に入る。しかも、蓋掛けフック２１３は、折り返し縁部２１１が途切れて突起状になっているので、前記作業者は、蓋２２０の一端側に形成された鍵穴状の係合部２２３と蓋掛けフック２１３とが嵌脱可能であり、蓋２２０を蓋掛けフック２１３に吊下げて、蓋２２０を仮置きできることを直感的に把握することができる。
【００５０】
蓋２２０を蓋掛けフック２１３に吊下げる手順は以下の通りである。前記作業者は、溝部２２３ｂを頸部２１３ａに通して、孔部２２３ａの最深部に頸部２１３ａが突き当たるまで（頸部２１３ａの幅方向両端が、孔部２２３ａの幅方向の両端間に位置するまで）蓋２２０を水平方向にスライドさせる。この状態で当該作業者が蓋２２０から手を離すと、頸部２１３ａと孔部２２３ａとが遊嵌した状態となり、蓋２２０が、蓋掛けフック２１３から吊下がる。
【００５１】
このように、前記作業者が蓋２２０を蓋掛けフック２１３に吊下げる際に、蓋２２０を水平方向にスライドさせて蓋掛けフック２１３と係合部２２３とを遊嵌させることができるので、当該作業者が蓋２２０を蓋掛けフック２１３に吊下げる際に、蓋２２０を上方に動かしすぎて蓋２２０の上端を誤って電装品取付面２１６に配設された電装品に接触させ、当該電装品を破損する可能性を低減できる。
【００５２】
前記作業者は、蓋２２０を蓋掛けフック２１３に吊下げて仮置きした状態で、強電用配線引出部２１４を通過させて電装品取付面２１６の長さ方向一端側に位置する強電用配線接続端子３１０に配線を接続し、弱電用配線引出部２１５を通過させて電装品取付面２１６の長さ方向他端側に位置する弱電用配線接続端子３２０に配線を接続する配線作業を行う。
【００５３】
前述の通り、蓋掛けフック２１３は、折り返し縁部２１１が設けられている側板２１０ｃ１の内壁面下端縁部において、強電用配線接続端子３１０と弱電用配線接続端子３２０
との間に設けられている。そのため、当該配線作業において、蓋２２０は、当該配線作業の妨げとならない位置で電装品箱本体２１０に吊下げられることになる。したがって、前記作業者は、当該配線作業の効率を低下させることなく、蓋２２０を吊下げて仮置きすることが可能となる。
【００５４】
しかも、蓋掛けフック２１３に吊下げられた蓋２２０は、前記配線作業時に前記作業者の視野内に位置するので、当該作業者が当該配線作業中に誤って蓋２２０に接触することを防止することが可能となり、当該配線作業の安全性を向上させることが可能となる。
【００５５】
以上説明したように、本実施形態によれば、脚立を用いた高所作業となる電気配線作業時に、作業者は、電装品箱本体２１０から取り外した蓋２２０を、当該脚立の天板に仮置きしたり、脚立を降りて床置きしたりすることなく、当該作業者の視野に入る位置に、図１に示すように、取り外した蓋２２０を電装品箱本体２１０に吊下げて仮置きすることが可能となる。そのため、当該作業の安全性および作業効率が向上する。
【００５６】
さらに本実施形態によれば、蓋掛けフック２１３は、電装品箱本体２１０に設けられているので、空気調和機１のケーシング１００に蓋２２０を吊下げる構成とは異なり、蓋２２０を吊下げ可能な形状とするためにケーシング１００を新規に設計および製造することなく、蓋２２０を吊下げることが可能となる。
【００５７】
以上、本発明の実施形態に係る電装品箱２００について説明したが、上記実施形態はあくまでも例示であり、本発明は、当該実施形態に限定されるものではなく、その趣旨を逸脱しない範囲で種々変更、改良等が可能である。例えば、上記実施形態では、空気調和機１は天井埋込型の空気調和機であるが、本発明は、天井吊下げ型の空気調和機にも適用可能である。
【符号の説明】
【００５８】
１  空気調和機
１００  ケーシング
１１０  送風機
１２０  熱交換器
２００  電装品箱
２１０  電装品箱本体
２１０ａ  開口部
２１０ｂ  天板
２１０ｃ１〜２１０ｃ４  側板
２１３  蓋掛けフック（突起部）
２１６  電装品取付面
２２０  蓋
２２３  係合部
２２３ａ  孔部
２２３ｂ  溝部
【図１】
2011208859.tif 000003
【図２】
2011208859.tif 000004
【図３】
2011208859.tif 000005
【図４】
2011208859.tif 000006
【図５】
2011208859.tif 000007